(57)【要約】【課題】パレットに積み上げられた荷物の運搬中での荷崩れを防止する簡便な荷崩れ防止具を提供する。【解決手段】パレットに積まれた荷物の荷崩れを防止する荷崩れ防止具であって、前記荷物に掛け渡されて荷崩れを防ぐベルトと、前記ベルトの長さを調節するベルト締付部と前記ベルトの一端を取り付けるためのパレットに固定される第１の取付具と、前記ベルトの他端を取り付けるためのパレットに固定される第２の取付具と、前記荷物の上に載せられてベルトが挿通される抑え部材とを備え、前記ベルト締付部を操作して前記ベルトを締め付けるように構成される。【選択図】図１
2020040727.tif 000002
【特許請求の範囲】
【請求項１】
パレットに積まれた荷物の荷崩れを防止する荷崩れ防止具であって、前記荷物に掛け渡されて荷崩れを防ぐベルトと、前記ベルトの長さを調節するベルト締付部と前記ベルトの一端を取り付けるためのパレットに固定される第1の取付具と、前記ベルトの他端を取り付けるためのパレットに固定される第２の取付具と、前記荷物の上に載せられて前記ベルトが挿通される抑え部材とを備え、
前記ベルト締付部を操作して前記ベルトを締め付けるように構成されることを特徴とする荷崩れ防止具。
【請求項２】
前記抑え部材の前記ベルトが挿通される方向の両端に前記ベルトが挿通される挿通穴が複数設けられることを特徴とする請求項１に記載の荷崩れ防止具。
【請求項３】
前記抑え部材に挿通された複数の前記ベルトがまとめられて前記第1の取付具又は前記第２の取付具で係止されることを特徴とする請求項1又は２に記載の荷崩れ防止具。
【請求項４】
前記荷物の上から被せ前記荷物の上面及び横面を覆うネットを備え、該ネットの上に前記抑え部材が置かれ、前記抑え部材に前記ベルトが挿通されることを特徴とする請求項1乃至３何れか1項に記載の荷崩れ防止具。
【請求項５】
前記第1の取付具又は前記第２の取付具が釣り針状の部材であることを特徴とする請求項1乃至４何れか1項に記載の荷崩れ防止具。
【請求項６】
前記ベルトが、その中間部に前記ベルト締付部としてＤＣバックルを備えることを特徴とする請求項１乃至５何れか1項に記載の荷崩れ防止具。
【請求項７】
前記第1の取付具又は前記第２の取付具が係止されるパレットに固定された取付具係止部材が備えられることを特徴とする請求項１乃至６何れか1項に記載の荷崩れ防止具。
【請求項８】
前記取付具係止部材がコの字状であり、前記コの字の対向する一辺がパレットに固定されることを特徴とする請求項７に記載の荷崩れ防止具。
【請求項９】
前記取付具係止部材がL字状の部材であり、前記L字状の部材の一辺がパレットに固定され他の一辺に前記取付具を係止する穴を有することを特徴とする請求項７に記載の荷崩れ防止具。
【請求項１０】
前記取付具係止部材が締め具を有するベルト状の部材であり、前記パレットの部材に巻き付けられ前記締め具を用いて固定されるとともに前記取付具を係止する環を形成することを特徴とする請求項７に記載の荷崩れ防止具。
【発明の詳細な説明】
【技術分野】
【０００１】
本発明は、パレットに載せた荷物の荷崩れを防止する荷崩れ防止具に関する。
【背景技術】
【０００２】
従来、パレットへ乗せた荷物の荷崩れを防止する装置が種々提案されている。
【０００３】
たとえば、特許文献１に開示されているパレット用カバーベルトはパレットに積んだ荷物の外周５面を保持するカバーベルトであって、ベルトを格子状に形成してなる保持体を５面設けている。
【０００４】
特許文献２には荷物群の周囲に巻回されるベルト状又はシート状の帯部材と疎の端部を連結させ連結部材を備えた荷崩れ防止用締め具が開示されている。
【０００５】
特許文献３にはメッシュ状のパネルを組み合わせて荷物全体を覆う荷役用パレットを段積み可能にするパレットサポートが開示されている。
【先行技術文献】
【特許文献】
【０００６】
【特許文献１】特開２００４−１４２８２５
【特許文献２】特開２００３−５４６２５
【特許文献３】特開２００６−１７６１５３
【発明の概要】
【発明が解決しようとする課題】
【０００７】
しかしながら、引用文献１に開示された発明はベルトを格子状に形成するので頑丈ではあるが製造及び保管に難がある。また、引用文献２に開示された発明は荷物の周囲を巻回するもので荷物の周囲へ回り込む必要があるという問題点がある。また、荷物の周囲長が高さにより変化する場合は複数のベルトなどを用意する必要があった。
【０００８】
引用文献３に開示された発明は、メッシュ状に形成したメッシュパネルを組み立てる手間が掛かるという問題点がある。
【０００９】
この発明の目的は、上述した事情に鑑みてパレットに積み上げられた荷物の保管中及び運搬中での荷崩れを防止する簡便な荷崩れ防止具を提供することである。
【課題を解決するための手段】
【００１０】
請求項１に記載の荷崩れ防止具は、パレットに積まれた荷物の荷崩れを防止する荷崩れ防止具であって、前記荷物に掛け渡されて荷崩れを防ぐベルトと、前記ベルトの長さを調節するベルト締付部と前記ベルトの一端を取り付けるためのパレットに固定される第１の取付具と、前記ベルトの他端を取り付けるためのパレットに固定される第２の取付具と、前記荷物の上に載せられてベルトが挿通される抑え部材とを備え、前記ベルト締付部を操作して前記ベルトを締め付けるように構成されることを特徴とする。
【００１１】
荷物に掛け渡されて荷崩れを防ぐベルトと、前記ベルトの長さを調節するベルト締付部と前記ベルトの一端を取り付けるためのパレットに固定される第１の取付具と、前記ベルトの他端を取り付けるためのパレットに固定される第２の取付具と、前記荷物の上に載せられてベルトが挿通される抑え部材とを備え、前記ベルト締付部を操作して前記ベルトを締め付けるように構成されるのでベルトが挿通される抑え部材によりベルトの位置が安定して容易にベルトを締めつけて荷崩れを防止することができる。
【００１２】
請求項２に記載の荷崩れ防止具は、請求項１に記載の荷崩れ防止具において抑え部材の前記ベルトが挿通される方向の両端に前記ベルトが挿通される挿通穴が複数設けられることを特徴とする。
【００１３】
抑え部材にベルトが挿通される挿通穴が複数設けられ、荷物に掛け渡す複数のベルトをその挿通穴へ通すことでベルトの位置が決まるので安定した荷崩れの防止ができる。
【００１４】
請求項３に記載の荷崩れ防止具は、請求項１又は２に記載の荷崩れ防止具において、前記抑え部材に挿通された複数のベルトがまとめられて前記第１の取付具又は前記第２の取付具で係止されることを特徴とする。
【００１５】
抑え部材に挿通された複数のベルトがまとめられて前記第１の取付具又は前記第２の取付具で係止されるので、ベルトのパレットへの取付が簡便になる。
【００１６】
請求項４に記載の荷崩れ防止具は、請求項1乃至３何れか1項に記載の荷崩れ防止具において、前記荷物の上から被せ荷物の横面も覆うネットを備え、該ネットの上に前記抑え部材が置かれ、前記抑え部材に前記ベルトが挿通されることを特徴とする。
【００１７】
前記荷物の上から被せ荷物の横方向も覆うネットを備え、該ネットの上に前記抑え部材が置かれ、前記抑え部材に前記ベルトが挿通されるので横方向への荷崩れも防止することができる。
【００１８】
請求項５に記載の荷崩れ防止具は、請求項１乃至４何れか１項に記載の荷崩れ防止具において、前記第１の取付具又は前記第２の取付具が釣り針状の部材であることを特徴とする。
【００１９】
第１の取付具又は第２の取付具が釣り針状の部材であるのでパレットへ容易に引っ掛けることができる。
【００２０】
請求項６に記載の荷崩れ防止具は、請求項1乃至5何れか１項に記載の荷崩れ防止具において、前記ベルトが、その中間部にベルト締付部としてＤＣバックルを備えることを特徴とする。
【００２１】
ベルトが、中間部にＤＣバックルを備えるのでベルトの長さ調整やベルトの締付が容易になる。
【００２２】
請求項７に記載の荷崩れ防止具は、請求項1乃至６何れか1項に記載の荷崩れ防止具において、前記第１の取付具又は前記第２の取付具が係止されるパレットに固定された取付具係止部材が備えられることを特徴とする。
【００２３】
パレットに固定された取付具係止部材が備えられるので、取付具を容易にパレットへ取り付けることができる。
【００２４】
請求項８に記載の荷崩れ防止具は、請求項７に記載の荷崩れ防止具において、前記取付具係止部材がコの字状であり、前記コの字の対向する一辺がパレットに固定されることを特徴とする。
【００２５】
取付具係止部材がコの字状であり、前記コの字の対向する一辺がパレットに固定されるので取付具を容易にパレットへ取り付けることができる。
【００２６】
請求項９に記載の荷崩れ防止具は、請求項７に記載の荷崩れ防止具において、前記取付具係止部材がＬ字状の部材であり、前記Ｌ字状の部材の一辺がパレットに固定され他の一辺に前記取付具を係止する穴を有することを特徴とする。
【００２７】
取付具係止部材がＬ字状の部材であり、前記Ｌ字状の部材の一辺がパレットに固定され他の一辺に前記取付具を係止する穴を有するので穴に取付具を係止することで取付具を容易にパレットへ取り付けることができる。
【００２８】
請求項１０に記載の荷崩れ防止具は、請求項７に記載の荷崩れ防止具において、前記取付具係止部材が締め具を有するベルト状の部材であり、前記パレットの部材に巻き付けられ前記締め具を用いて固定されるとともに前記取付具を係止する輪を形成することを特徴とする。
【００２９】
取付具係止部材が締め具を有するベルト状の部材であり、前記パレットの部材に巻き付けられ前記締め具を用いて固定されるとともに前記取付具を係止する環を形成するので、頑丈にパレットへ固定された前記環へ取付具を係止することで取付具を容易かつ頑丈にパレットへ取り付けることができる。
【図面の簡単な説明】
【００３０】
【図１】パレットに積まれた荷物へネットを被せその上に抑え部材を置きベルトで荷崩れを防止する荷崩れ防止具の説明図である。
【図２】抑え部材の説明図である。
【図３】ネットの説明図である。
【図４】取付具に釣り針状の部材を用いた場合の説明図である。
【図５】コの字状の取付具係止部材を用いてベルトをパレットへ係止する説明図である。
【図６】穴あきＬ字状の取付具係止部材を用いてベルトをパレットへ係止する説明図である。
【図７】ベルトによる取付具係止部材を用いてベルトをパレットへ係止する説明図である。
【発明を実施するための形態】
【００３１】
以下、本発明の荷崩れ防止具の実施形態を図面に基づいて説明する。図１はパレットへ適用した荷崩れ防止具の構成の説明図である。パレットに積まれた荷物２０の上面へネット１７を被せ、さらにネットの上に抑え部材１が載せられ、抑え部材の挿通穴２，３，４，５へベルト１０を通してそのベルトを第１の取付具２２を使ってパレットへ引っ掛けて荷崩れを防止している。また、抑え部材の挿通穴６，７，８，９へベルト１２を通してそのベルトを第１の取付具２１を使ってパレットへ引っ掛けて荷崩れを防止している。ベルト１０及びベルト１２は一端を第１の取付具２１及び２２へ接続され、他端が第２の取付具へ接続される。ベルト１０にはその長さを調節し固定するベルト締付部となるＤＣバックル１３が取り付けられている。またベルト１２にはその長さを調節し固定するように操作するベルト締付部となるＤＣバックル１４が取り付けられている。
【００３２】
第１の取付具２１，２２に係止され挿通穴へ通された複数のベルト１２、１０は図１に示すようにパレット上の荷物へ上から掛け渡してパレットの反対側の端部へ付けられた第２の取付具となる釣り針状の部材で折り返す。またベルトはパレットへ係止する取付具２１，２２などで一つにまとめられてパレットへ固定される。複数のベルトが一つにまとめられるのでベルトのパレットへの取付が容易になる。
【００３３】
図２に示す抑え部材１にはベルトが挿通される方向の両端に前記ベルトが挿通される挿通穴が複数設けられる。長さＬ１の一端には挿通穴２，５、他端には対向する位置に挿通穴３，４が設けられる。また、長さＬ２の一端には挿通穴６，７、他端には対向する位置に挿通穴８，９が設けられる。
【００３４】
抑え部材１の材質は適度な柔軟性を持つプラスチックが好適である。抑え部材には挿通されたベルトがパレットへ取付具で一つにまとめられて挿通穴の間隔を狭める力が加わるのでそれに耐える材質と厚さｔを選択する。また、高さの揃わない荷物の上に抑え部材が置かれた場合はその高さにほぼ沿って曲がることが望ましい。
【００３５】
図３は図１で用いたネットの詳細を示している。ネットはナイロンなどの合成樹脂材を編んで柔軟性を持つものが好適である。ネット１７は荷物２０の上から被せた端が下へ降りて荷物の横面を覆える大きさにすることが好適である。
【００３６】
ネット１７の中央部には内紐１８、下端になる外回りには外紐１９が通され、荷物を覆うようにネット１７を掛けた状態で外紐１９を締める。荷物の上面及び横面へネットが荷物へ密着するように内紐１８を締めて移動中のパレット上の荷物の動きを抑える。
【００３７】
図４はパレット１５へ引っ掛けてベルト１２を折り返す釣り針状の取付具２１の説明図である。図４に示すベルト１２の対向する他端で同じように取付具で折りかえされる。折り返されたベルトの中間部にＤＣバックル１４を設けベルトの長さを調節して締める。
【００３８】
次に図５〜図７を用いて取付具をパレットへ容易に係止する取付具係止部材の説明をする。
【００３９】
図５に示す取付具係止部材２５はコの字状の形状で、対向する辺の一つがねじや接着剤でパレットへ固定される。そしてもう一つの辺と二つの辺を結ぶ接続辺に取付具２２が係止されるので取付具の係止が容易に行える。
【００４０】
図６に示す取付具係止部材２６はＬ字状の形状で、辺の一つがねじや接着剤でパレットへ固定される。そしてもう一つの辺に設けられた穴２７へ取付具２２が係止されるので取付具の係止が容易に行える。取付具係止部材２６を２箇所へ備えることでベルトをより安定に係止することができる。
【００４１】
図７に示す取付具係止部材３０はベルト３１と締め具３２で構成される。ベルトは例えばパレットの２枚の板を繋ぐ柱へ巻き付けベルトへ張力を加えて締め具３２で固定する。パレットへ頑丈に固定されたベルト状の取付具係止部材３０は締め具３２の近傍にベルト３１で形成される環を有している。この環へ取付具２１を引っ掛けることでベルトをパレットへ容易にかつ頑丈に係止することができる。
【００４２】
上記に説明した実施例は本願発明の一部であって本願発明の技術思想を含む実施の態様は本願発明の技術思想に含まれることは勿論である。
【符号の説明】
【００４３】
１  抑え部材
２，３，４，５  挿通穴
６，７，８，９  挿通穴
１０、１２  ベルト
１３、１４  ＤＣバックル
１５  パレット
１７  ネット
１８  内紐
１９  外紐
２０  荷物
２１、２２  取付具
２５  コの字状取付具係止部材
２６  Ｌ字状取付具係止部材
２７  Ｌ字状取付具係止部材の穴
３０  ベルト状状取付具係止部材
３１  ベルト状取付具係止部材のベルト
３２  ベルト状取付具係止部材の締め具
【図１】
2020040727.tif 000003
【図２】
2020040727.tif 000004
【図３】
2020040727.tif 000005
【図４】
2020040727.tif 000006
【図５】
2020040727.tif 000007
【図６】
2020040727.tif 000008
【図７】
2020040727.tif 000009